(57)【要約】      （修正有）【課題】使用する紙部材の無駄を抑え、巻き取り状態での変形を極力低減し、安定して保管できる連続帳票を提供する。【解決手段】複数の第１の移送孔５９が所定ピッチで設けられ、第１面２３を有するとともに他端側に移送孔が設けられていない第１の用紙と、両端側の縁部に沿って、複数の第２および第３の移送孔６１、６２が、それぞれ所定ピッチで設けられた第２の用紙３とを、該第１の移送孔５９と、該第２の移送孔６１とが互いに重なるように配置し、かつ、剥離可能な粘着剤４１を介して接着する。該第２の用紙３には、該第１の用紙とは離隔して該第３の移送孔６２と互いに重なるように所定ピッチを有する複数の第４の移送孔６０を備えた分離片５４を接着する。該第２の用紙３の該第１の用紙と重ならない領域に情報記入領域３３が印刷し、該第２の用紙３の該第１の用紙と重なる領域に隠蔽用パターンを印刷する。【選択図】図１
2020157742.tif 000002
【特許請求の範囲】
【請求項１】
情報記入領域に記入された情報を隠蔽できる情報記入領域隠蔽用シートに用いられる帳票であって、
一端側の縁部に沿って、移送のための複数の第１の移送孔が所定ピッチで設けられ、他端側に移送孔が設けられていない第１の用紙と、
両端側の縁部に沿って、移送のための複数の第２および第３の移送孔が、それぞれ所定ピッチで設けられた第２の用紙とが、前記第１の移送孔と、前記第２の移送孔とが互いに重なるように配置され、かつ、剥離可能な粘着剤を介して接着されており、
前記第２の用紙には、前記第１の用紙が配置された面と同一面に前記第１の用紙とは離隔して、前記第３の移送孔と互いに重なるように、移送のための所定ピッチを有する複数の第４の移送孔を備えた分離片が接着剤を介して接着されており、
前記第２の用紙の前記第１の用紙が配置される側であって、当該第１の用紙と重ならない領域に、情報記入領域が印刷され、
前記第２の用紙の前記第１の用紙が配置される側であって、当該第１の用紙と重なる領域に、隠蔽用パターンが印刷されている、連続帳票。
【請求項２】
前記第１の用紙および前記分離片は、両端側の縁部に沿って、移送のための複数の前記第１および前記第４の移送孔が所定ピッチで設けられた第３の用紙を、当該第４の移送孔の配列方向に沿って切断して形成されたものである、請求項１に記載の連続帳票。
【請求項３】
前記第１の用紙の前記第１の移送孔の配列方向と垂直な幅方向の間隔は、前記第２の用紙の前記第２または前記第３の移送孔の配列方向と垂直な幅方向の間隔の４０％以上かつ６０％以下である、請求項１または２に記載の連続帳票。
【請求項４】
前記情報記入領域に情報が印字されている、請求項１から３のいずれか一項に記載の連続帳票。
【請求項５】
情報記入領域に記入された情報を隠蔽できる情報記入領域隠蔽用シートに用いられる帳票の製造方法であって、
一端側の縁部に沿って、移送のための複数の第１の移送孔が所定ピッチで設けられ、他端側に移送孔が設けられていない第１の用紙を準備する第１の用紙の準備工程と、
情報記入領域および隠蔽用パターンが印刷され、両端側の縁部に沿って、移送のための複数の第２および第３の移送孔が、それぞれ所定ピッチで設けられた第２の用紙を準備する第２の用紙の準備工程と、
移送のための所定ピッチを有する複数の第４の移送孔を備えた分離片を準備する分離片準備工程と、
前記第２の用紙の前記第３の移送孔の付近に接着剤を印刷または塗付し、その後、前記分離片を前記第３の移送孔と前記第４の移送孔とが重なるように配置して接着する分離片接着工程と、
前記第２の用紙に剥離可能な粘着剤を印刷または塗付し、その後、前記第１の用紙を、前記第１の移送孔と前記第２の移送孔とが互いに重なり、前記分離片とは離隔する位置であり、かつ、
前記第２の用紙の前記第１の用紙が配置される側であって、当該第１の用紙と重ならない領域に、情報記入領域が印刷され、
前記第２の用紙の前記第１の用紙が配置される側であって、当該第１の用紙と重なる領域に、隠蔽用パターンが印刷されている、位置に配置して接着する第１の用紙の接着工程と、を含む、連続帳票の製造方法。
【請求項６】
両端側の縁部に沿って、移送のための複数の前記第１および前記第４の移送孔がそれぞれ所定ピッチで設けられた第３の用紙を準備する第３の用紙の準備工程と、
前記第３の用紙を、当該第１および当該第４の移送孔の配列方向に沿って切断する第３の用紙の切断工程と、をさらに含み、
前記第３の用紙を切断することによって、前記第１の用紙および前記分離片を形成することができる、請求項５に記載の連続帳票の製造方法。
【請求項７】
前記第１の用紙の接着工程の後に、前記第１の用紙に宛先情報を印字する印字工程と、
当該帳票を各々の情報記入領域に記入された情報が隠蔽可能であるシートに分離するシート分離工程と、
前記情報記入領域に記入された情報が隠蔽可能であるシートを折ることにより、前記情報記入領域と、前記隠蔽用パターンとが、対向して互いに重なる配置となるシート折工程と、
当該シート折工程により折られた前記情報記入領域に記入された情報が隠蔽可能なシートを封筒に封入および封緘する封入封緘工程と、をさらに含む、請求項５または６に記載の連続帳票の製造方法。
【請求項８】
前記シート折工程および前記封入封緘工程よりも前に行う、前記情報記入領域に情報を印字する情報印字工程をさらに含む、請求項７に記載の連続帳票の製造方法。
【発明の詳細な説明】
【技術分野】
【０００１】
本発明は、情報記入領域に記入された情報を隠蔽できる情報記入領域隠蔽シートに用いられる連続帳票に関する。
【背景技術】
【０００２】
従来より、個人情報等の情報を記入するための情報記入領域が設けられたはがきであって、情報記入領域への情報の記入を行った後で、地紋等が印刷されたシール状の隠蔽部材を情報記入領域の面に剥離可能に貼り付けてから返信する方式のものがある。これにより、はがきの郵送中に個人情報等が第三者に読み取られることを抑止できる。
【０００３】
また、情報記入領域を隠蔽する隠蔽部材が、折り返し用のミシン目を介してはがきと一体に連接する基材用紙、剥離可能な粘着剤、および剥離紙を積層した構成であるものが特許文献１に提案されている。
【０００４】
この場合は、情報記入領域への情報の記入を行った後、連接する基材用紙に貼り込まれた剥離紙を剥がして剥離可能な粘着剤の層を剥き出しにしてから、ミシン目に沿って基材用紙を折り返してはがきの情報記入領域の面に重ねることで、情報記入領域を隠蔽した状態で当該基材用紙をはがきに接着させることができる。
【先行技術文献】
【特許文献】
【０００５】
【特許文献１】特開２００５−３０５９５６号公報
【発明の概要】
【発明が解決しようとする課題】
【０００６】
ところで、このような情報記入領域があらかじめ印刷され、当該情報記入領域に情報の記入をしてから剥離紙を剥がし、折り返しによって当該情報記入領域を剥離可能な粘着剤を介して隠蔽部材で隠蔽するはがきは、連続帳票として製造したものを所定寸法に切ることによって効率的に量産される。連続帳票はその幅方向の両端に沿って連続的に円形の移送孔が設けられており、スプロケット状の搬送機構の突起部を当該移送孔に噛み合わせることにより、当該連続帳票を搬送することが一般的に行われる。
【０００７】
ここで、このようなはがきは、折り返し構造のはがき部分を展開したときの面積に比べ、粘着剤および剥離紙を貼る部分の面積が小さいため、折り返し構造のはがき部分を形成する用紙の幅に対して、剥離紙を形成する用紙の幅を狭くして、両用紙を、粘着剤を介して貼り込むことにより、連続帳票を形成することが行われてきた。
【０００８】
しかし、このような製造方法をとる場合、はがき部分と粘着剤を介して接着された剥離紙部分とが積層された連続帳票を別工程で加工するために、連続帳票をいったんロール状に巻き取る必要がある。その際、剥離紙が配置された側の厚さが厚くなる一方で、剥離紙が配置されていない側の厚さが薄くなることにより、巻き取られた連続帳票の荷姿が安定せず、不均一な内部応力により連続帳票にしわが発生したり、部分的に破れてしまうおそれがあった。
【０００９】
また、巻き取り時の荷姿を安定させるために、剥離紙を形成する用紙の幅を折り返し構造のはがき部分を形成する用紙の幅と同一にし、最終段階で剥離紙を形成する用紙の不要な部分を除去する方法も考えられるが、当該不要な部分は無駄となり、材料コスト等の面で不利となる。
【００１０】
本開示はこのような状況に鑑みてなされたものであり、情報記入領域に記入された情報を隠蔽できる情報記入領域隠蔽用シートに用いられる連続帳票において、使用する紙部材の無駄を抑え、巻き取り状態での変形を極力低減し、安定して保管できる連続帳票および連続帳票の製造方法を提供することを課題とする。
【課題を解決するための手段】
【００１１】
本実施の形態による連続帳票は、情報記入領域に記入された情報を隠蔽できる情報記入領域隠蔽用シートに用いられる帳票であって、一端側の縁部に沿って、移送のための複数の第１の移送孔が所定ピッチで設けられ、他端側に移送孔が設けられていない第１の用紙と、両端側の縁部に沿って、移送のための複数の第２および第３の移送孔が、それぞれ所定ピッチで設けられた第２の用紙とが、前記第１の移送孔と、前記第２の移送孔とが互いに重なるように配置され、かつ、剥離可能な粘着剤を介して接着されており、前記第２の用紙には、前記第１の用紙が配置された面と同一面に前記第１の用紙とは離隔して、前記第３の移送孔と互いに重なるように、移送のための所定ピッチを有する複数の第４の移送孔を備えた分離片が接着剤を介して接着されており、前記第２の用紙の前記第１の用紙が配置される側であって、当該第１の用紙と重ならない領域に、情報記入領域が印刷され、前記第２の用紙の前記第１の用紙が配置される側であって、当該第１の用紙と重なる領域に、隠蔽用パターンが印刷されている。
【００１２】
また、本実施の別の形態による連続帳票において、前記第１の用紙および前記分離片は、両端側の縁部に沿って、移送のための複数の前記第１および前記第４の移送孔が所定ピッチで設けられた第３の用紙を、当該第４の移送孔の配列方向に沿って切断して形成されたものであってもよい。
【００１３】
また、本実施の別の形態による連続帳票において、前記第１の用紙の前記第１の移送孔の配列方向と垂直な幅方向の間隔は、前記第２の用紙の前記第２または前記第３の移送孔の配列方向と垂直な幅方向の間隔の４０％以上かつ６０％以下であってもよい。
【００１４】
また、本実施の別の形態による連続帳票において、前記情報記入領域に情報が印字されていてもよい。
【００１５】
本実施の形態による連続帳票の製造方法は、情報記入領域に記入された情報を隠蔽できる情報記入領域隠蔽用シートに用いられる帳票の製造方法であって、一端側の縁部に沿って、移送のための複数の第１の移送孔が所定ピッチで設けられ、他端側に移送孔が設けられていない第１の用紙を準備する第１の用紙の準備工程と、情報記入領域および隠蔽用パターンが印刷され、両端側の縁部に沿って、移送のための複数の第２および第３の移送孔が、それぞれ所定ピッチで設けられた第２の用紙を準備する第２の用紙の準備工程と、移送のための所定ピッチを有する複数の第４の移送孔を備えた分離片を準備する分離片準備工程と、前記第２の用紙の前記第３の移送孔の付近に接着剤を印刷または塗付し、その後、前記分離片を前記第３の移送孔と前記第４の移送孔とが重なるように配置して接着する分離片接着工程と、前記第２の用紙に剥離可能な粘着剤を印刷または塗付し、その後、前記第１の用紙を、前記第１の移送孔と前記第２の移送孔とが互いに重なり、前記分離片とは離隔する位置であり、かつ、前記第２の用紙の前記第１の用紙が配置される側であって、当該第１の用紙と重ならない領域に、情報記入領域が印刷され、前記第２の用紙の前記第１の用紙が配置される側であって、当該第１の用紙と重なる領域に、隠蔽用パターンが印刷されている、位置に配置して接着する第１の用紙の接着工程と、を含む。
【００１６】
また、本実施の別の形態による連続帳票の製造方法において、両端側の縁部に沿って、移送のための複数の前記第１および前記第４の移送孔がそれぞれ所定ピッチで設けられた第３の用紙を準備する第３の用紙の準備工程と、前記第３の用紙を、当該第１および当該第４の移送孔の配列方向に沿って切断する第３の用紙の切断工程と、をさらに含み、前記第３の用紙を切断することによって、前記第１の用紙および前記分離片を形成することができてもよい。
【００１７】
また、本実施の別の形態による連続帳票の製造方法において、前記第１の用紙の接着工程の後に、前記第１の用紙に宛先情報を印字する印字工程と、当該帳票を各々の情報記入領域に記入された情報が隠蔽可能であるシートに分離するシート分離工程と、前記情報記入領域に記入された情報が隠蔽可能であるシートを折ることにより、前記情報記入領域と、前記隠蔽用パターンとが、対向して互いに重なる配置となるシート折工程と、当該シート折工程により折られた前記情報記入領域に記入された情報が隠蔽可能なシートを封筒に封入および封緘する封入封緘工程と、をさらに含んでもよい。
【００１８】
また、本実施の別の形態による連続帳票の製造方法において、前記シート折工程および前記封入封緘工程よりも前に行う、前記情報記入領域に情報を印字する情報印字工程をさらに含んでもよい。
【発明の効果】
【００１９】
本実施の形態によれば、情報記入領域に記入された情報を隠蔽できる情報記入領域隠蔽用シートに用いられる連続帳票において、使用する紙部材の無駄を抑え、巻き取り状態での変形を極力低減し、安定して保管できる連続帳票および連続帳票の製造方法を提供することができる。
【図面の簡単な説明】
【００２０】
【図１】第１実施形態の連続帳票の構造を説明する平面図および断面図である。
【図２】第１用紙をスリットする工程を説明する平面図である。
【図３】第２用紙の第１面側を説明する平面図である。
【図４】第２用紙の第２面側を説明する平面図である。
【図５】第２用紙の第１面側に粘着剤および接着剤を塗布する工程を説明する平面図である。
【図６】情報記入領域隠蔽シートを説明する平面図である。
【図７】折り畳まれた情報記入領域隠蔽シートを説明する平面図および断面図である。
【図８】第１実施形態の連続帳票の製造工程の一例を説明する模式図である。
【図９】第１実施形態の情報記入領域隠蔽シートの封入封緘までの製造方法の一例を説明する模式図である。
【図１０】情報記入領域隠蔽シートの封入封緘までの製造方法の変形例を説明する模式図である。
【発明を実施するための形態】
【００２１】
以下、図面等を参照して、本開示の連続帳票、および連続帳票の製造方法の一例について説明する。ただし、本開示の連続帳票、および連続帳票の製造方法は、以下に説明する実施形態や実施例には限定されない。
【００２２】
なお、以下に示す各図は、模式的に示したものである。そのため、各部の大きさ、形状、断面図における各層の厚さ等は理解を容易にするために、適宜誇張している。また、各図において、部材の断面を示すハッチングを適宜省略する。本明細書中に記載する各部材の寸法等の数値および材料名は、実施形態としての一例であり、これに限定されるものではなく、適宜選択して使用することができる。本明細書において、形状や幾何学的条件を特定する用語、例えば平行や直交、垂直等の用語については、厳密に意味するところに加え、実質的に同じ状態も含むものとする。また、説明の便宜上、上方または下方等という語句を用いて説明することがあるが、上下方向が逆転してもよく、左右方向についても同様とする。
【００２３】
１．第１実施形態
本開示の連続帳票の第１実施形態について説明する。図１は、第１実施形態の連続帳票である情報記入領域隠蔽シート用帳票１の一例を示す図であり、図１（ａ）が平面図、図１（ｂ）が、図１（ａ）に示すＸ−Ｘ断面を紙面の下方側から見た断面図である。図２は、スリット加工で分離される前後の第１用紙２を示す平面図であり、図２（ａ）がスリット加工前、図２（ｂ）がスリット加工後を示す。また、図３は、第２用紙３の第１面３１側を示す平面図であり、図４は第２用紙３の第２面３２側を示す平面図である。
【００２４】
（ａ）情報記入領域隠蔽シート用帳票の構成
図１（ａ）、（ｂ）に示すとおり、情報記入領域隠蔽シート用帳票１は、その両端の縁部に沿って紙面の左側の複数の移送孔５７および右側の複数の移送孔５８を有している。また、図１（ａ）のとおり、情報記入領域隠蔽シート用帳票１の左側には第１用紙２の第１面２３に印刷された切手貼付け欄や郵便番号記入欄等が視認され、右側には第２用紙３の第１面３１に印刷された情報記入領域３３が視認される。また、これより、情報記入領域隠蔽シート用帳票１の左側は、第２用紙３、粘着剤４１および第１用紙２の第１分離片２１がこの順に積層された構成となる。
【００２５】
また、情報記入領域隠蔽シート用帳票１の右側は、右端部分のみが、第２用紙３のマージナル部５６、接着剤４２およびマージナル部５４がこの順に積層され、全体としてマージナル部５２を形成しており、上記以外の右側の領域には、第２用紙３のみが存在している。マージナル部とは、連続帳票を搬送するために使用される移送孔を含めた、当該連続帳票の両端部分を指す。通常はミシン目加工等が施され、後でマージナル部だけが切り離せるように構成されることが多い。
【００２６】
一方、情報記入領域隠蔽シート用帳票１の左端は、第２用紙３のマージナル部５５およびマージナル部５３が間に粘着剤４１によって生じる空隙を挟んで重ねられ、全体としてマージナル部５１を形成している。粘着剤４１が直接、マージナル部５５およびマージナル部５３を接着するように配置されていてもよい。
【００２７】
なお、図１（ａ）に示す略長方形の構造は、紙面の上方側および下方側に連続して長尺の連続帳票を形成している情報記入領域隠蔽シート用帳票１を、上方側および下方側を省略して一つの情報記入領域隠蔽シートを構成する領域に区切って図示したものである。図２〜図５についても同様である。以下、各構成部材について説明する。
【００２８】
（ｉ）第１用紙
第１用紙２は、後述する情報記入領域隠蔽シート４への情報の記入後にはがきを折り曲げて情報記入領域３３を隠蔽するまで、粘着剤４１の粘着力を発現させないようにするための剥離紙としての役割を有する。また、剥がした第１用紙２の部分は、必要に応じて往信はがきとして使用できるように第１面２３に切手貼付け欄や郵便番号記入欄等の必要な印刷が施されている。ただし、このような印刷はなくてもよい。また、第１用紙２の第１面２３の反対面である第２面２４には、後述する粘着剤４１との離型性を保つための離型層２７が設けられている。
【００２９】
第１用紙２は、図２（ａ）に示すように、その両端の縁部に沿って紙面の左側の複数の移送孔５９および右側の複数の移送孔６０を有している。移送孔５９および移送孔６０の幅方向の間隔（両孔の中心間の距離）は、前述した情報記入領域隠蔽シート用帳票１の両端の縁部に沿って形成された移送孔５７および移送孔５８の幅方向の間隔よりも小さい。前者の間隔をＤ１、後者の間隔をＤ２とした場合、Ｄ１の値はＤ２の値の４０％以上かつ６０％以下であることが好ましい。このような条件とすることで、第２用紙３に形成される情報記入領域３３のスペースを十分に確保し、かつ、最終的に第１用紙２が情報記入領域３３を十分に隠蔽することができるからである。
【００３０】
また、第１用紙２は、両端に移送孔５９および６０を備えるため、スプロケット状の搬送機構の突起部を当該移送孔に噛み合わせることにより、容易に搬送することができ、これに適宜、必要な印刷や加工をすることができる。第１用紙２の両端に設けられる移送孔５９および６０の配列方向に沿ったピッチ（隣接する各移送孔の中心間の距離）は、搬送精度を保つため、一定の公差を含む所定ピッチに定められている。必要な印刷等が終わった第１用紙２は、図２（ｂ）に示すように、右側のマージナル部５４が、本体の第１用紙２の第１分離片２１からあらかじめ設けてあるミシン目の切断予定線２６に沿って分離される。
【００３１】
このようにして、第１用紙２は、最終的に第１分離片２１とマージナル部５４とに離隔したまま、後述する第２用紙３上に配置される。図１（ｂ）に示すように、第１分離片２１は、間に剥離可能な粘着剤４１を介して第２用紙３と接着され、マージナル部５４は、間に接着剤４２を介して第２用紙３と接着される。マージナル部５４は単に分離片と呼ぶこともできる。
【００３２】
（ｉｉ）第２用紙
第２用紙３は、後述する情報記入領域隠蔽シート４の基礎部分となるものであり、図３に示すとおり、第２用紙３の第１面３１には、後工程で粘着剤４１および第１用紙２の第１分離片２１が搭載される予定の左側の領域に、隠蔽領域３４が印刷等により形成されている。これは、情報記入領域隠蔽シート４を折り曲げたときに情報が記入された情報記入領域３３を隠蔽して、記入された情報を外部から視認し難くするために設けるものである。隠蔽領域３４は、例えば図３に示すように地紋で構成することができるが、文字、図形、線等を使用したパターンや濃色のベタ印刷等によるパターン等、何らかの隠蔽用のパターンを形成するものであればよい。
【００３３】
また、第２用紙３の第１面３１の、粘着剤４１および第１用紙２の第１分離片２１が搭載されない右側の領域には、情報記入領域３３が印刷等により形成されている。情報記入領域３３は、何らかの個人情報に係る情報を記入させる書式を備えていてもよい。例えば、本実施形態では、情報記入領域隠蔽シート４が口座振替依頼書であるとして、預金者名、金融機関名、口座番号または通帳番号等の記入欄を設けたものを想定している。これ以外にも、該情報記入領域隠蔽シート４がクレジットカード支払い申込書である場合には、カード番号、名義人、有効期限等の記入欄が設けられていてもよく、これら以外の用途、項目でもよいことは言うまでもない。
【００３４】
第２用紙３についても、第１用紙２と同様に、その両端の縁部に沿って紙面の左側の複数の移送孔６１および右側の複数の移送孔６２を有している。第２用紙３は、両端に移送孔６１および６２を備えるため、スプロケット状の搬送機構の突起部を当該移送孔に噛み合わせることにより、容易に搬送することができ、上記の印刷等をすることができる。第２用紙３の両端に設けられる移送孔６１および６２の配列方向に沿ったピッチ（隣接する各移送孔の中心間の距離）は、搬送精度を保つため、一定の公差を含む所定ピッチに定められている。
【００３５】
第２用紙３は、左側のマージナル部５５および右側のマージナル部５６が、後工程で分離できるよう、あらかじめ、ミシン目の切断予定線３６および３７が設けられる。また、隠蔽領域３４と情報記入領域３３との境目に沿って、折り曲げを容易にするための折予定線３５が、ミシン目にて形成されている。
【００３６】
一方、第２用紙３の第１面３１の裏面である第２面３２には、図４に示すように、左側に返信用はがきの宛先である宛先情報３８が印刷形成されており、右側に説明欄３９が印刷形成されている。なお、図４の第２用紙３は、図３の第２用紙３を、折予定線３５を回転軸として軸周りに１８０°回転させた状態を示している。よって、第１面３１の隠蔽領域３４に対応する裏面には第２面３２の説明欄３９が配置され、第１面３１の情報記入領域３３に対応する裏面には第２面３２の宛先情報３８が配置されている。
【００３７】
宛先情報３８は、例えば、情報が記入された情報記入領域３３を、情報記入領域隠蔽シート４を折り曲げて隠蔽した後、これをはがきとして郵送するときの宛先が記載されているものである。また、説明欄３９は、本実施形態では情報記入領域３３の記載方法の説明を記載するものとしているが、それ以外の何らかの伝達事項や広告等の記載であってもよい。説明欄３９は、隠蔽領域３４に対応する裏面に配置されるため、全く印刷がない面であってもよいが、宛先情報３８の記載部分は情報記入領域３３に対応する裏面にあたることから、何らかの文字、図形、ベタ模様等を印刷等しておくことが隠蔽の面から好ましい。
【００３８】
（ｉｉｉ）粘着剤
図５は、図３に示す第２用紙３の第１面３１の左側である隠蔽領域３４の上に隠蔽領域３４とほぼ同面積の領域に粘着剤４１を設け、右端のマージナル部５６の縁部に沿った領域で、かつ移送孔６２よりも内側の領域に、線状の接着剤４２が設けられていることを説明する平面図である。粘着剤４１は、情報が記入された情報記入領域３３を、情報記入領域隠蔽シート４を折り曲げて隠蔽する際、情報記入領域３３を含む第２用紙３の第１面３１の右側領域と隠蔽領域３４を含む左側領域とを、はがきとして郵送している間に剥がれない程度に接着するものである。
【００３９】
粘着剤は、たとえば天然ゴム主成分の水性エマルジョン形感圧接着剤であってもよく、その他、アクリル系、溶液型アクリル系、エマルジョン型アクリル系、ゴム系等の既知の成分を含有していてもよい。
【００４０】
（ｉｖ）接着剤
第２用紙３の右端付近に縁部に沿って設けられた線状の接着剤４２は、第２用紙３の右端のマージナル部５６と、図１（ａ）、（ｂ）に示すようにその上方に搭載される第１用紙２から分離した分離片であるマージナル部５４と、を接着するために塗付される。マージナル部５６および５４は、それぞれの移送孔６２および６０が帳票の面方向において重なるように位置合わせされて、接着剤４２を介して接着される。接着剤として公知の各種の糊、接着剤を使用できる。また、接着剤４２は、上述した粘着剤４１と同一材料にて同時に印刷等で形成されていてもよい。
【００４１】
（ｖ）離型層
後述するとおり、第１用紙２の第１面２３の裏面である第２面２４には、離型層２７を設ける等、離型処理を施していてもよい。図１（ａ）、（ｂ）に示すように、第１用紙２の第１分離片２１は、第２用紙３の左側に粘着剤４１を介して貼り込まれているが、当該第１分離片２１は、粘着剤４１の粘着機能を抑制するための剥離紙として機能するものでもある。したがって、情報が記入された情報記入領域３３を、情報記入領域隠蔽シート４を折り曲げて隠蔽する際に、当該第１分離片２１を粘着剤４１から容易に分離できることが好ましい。離型層２７としては、例えば、シリコーン等を含有したインキを印刷することにより設けることができる。
【００４２】
（ｂ）情報記入領域隠蔽シート用帳票の製造方法
次に、各図にもとづいて、情報記入領域隠蔽シート用帳票１の製造方法の一例を説明する。図８は、本実施形態の連続帳票である情報記入領域隠蔽シート用帳票１の製造工程を示す概略の模式図である。第１用紙２および第２用紙３は、それぞれ、ロール状の巻取として第１用紙巻取７３および第２用紙巻取７１として準備される（工程（Ｇ）、工程（Ａ））。なお、第１用紙２には、あらかじめ、前述した必要な文字等の印刷と、離型層２７の印刷とが施されており、第２用紙３には、あらかじめ、前述した隠蔽領域３４、情報記入領域３３、宛先情報３８および説明欄３９等の印刷が施され、第１用紙２、第２用紙３のそれぞれの両端に搬送用の搬送孔が形成されている。
【００４３】
第２用紙３の連続紙である第２用紙連続紙７２が、第２用紙巻取７１から繰り出され、図５の第２用紙３のマージナル部５６の縁部に沿った線状領域に、接着剤塗付部７５により、接着剤４２が塗付される（工程（Ｂ））。一方、第１用紙２の連続紙である第１用紙連続紙７４が、第１用紙巻取７３から繰り出され、スリット部７９によって、図２（ｂ）に示すように、第１分離片２１とマージナル部５４とにスリット分離される（工程（Ｈ））。
【００４４】
その後、分離片であるマージナル部５４は、ガイドローラを経て上述の第２用紙連続紙７２の上方に重ねられ、第１丁合部７６にて、上下からローラで挟み込まれ、両者が圧着される（工程（Ｃ））。これにより、図１（ａ）、（ｂ）のように、第２用紙３の右端のマージナル部５６とマージナル部５４とが接着剤４２を介して接着するとともに、マージナル部５６および５４は、それぞれの移送孔６２および６０が帳票の面方向において重なる配置で固定され、移送孔６２から６０までの連続する移送孔５８を有するマージナル部５２を形成する。
【００４５】
その後、マージナル部５２を有する第２用紙連続紙７２は、第１加熱乾燥部７７によって加熱され、接着剤４２の硬化が促進される（工程（Ｄ））。さらに、その下流側で液状の粘着剤４１を粘着剤印刷部７８のインキパンから印刷ローラに供給し、図５に示すとおり、隠蔽領域３４を覆うように粘着剤４１の領域を印刷形成する（工程（Ｅ））。なお、接着剤４２が紫外線硬化型接着剤である場合は、第１加熱乾燥部７７はＵＶ照射機に置き換えられてもよい。
【００４６】
その後、工程（Ｈ）でスリット分離された第１用紙連続紙７４の第１分離片２１が、ガイドローラによって第２用紙連続紙７２と位置合わせされ、図１（ａ）、（ｂ）のように、第２用紙３の左端のマージナル部５５と第１分離片２１の左端のマージナル部５３とが粘着剤４１を介して固定されるとともに、マージナル部５５および５３は、それぞれの移送孔６１および５９が帳票の面方向において重なる配置で固定され、移送孔６１から５９までの連続する移送孔５７を有するマージナル部５１を形成する。
【００４７】
第１用紙連続紙７４の第１分離片２１と第２用紙連続紙７２とが位置合わせされた後、第２丁合部８０にて、上下からローラで挟み込まれ、両者が圧着される（工程（Ｆ））。その後、第２用紙連続紙７２は、第２加熱乾燥部８１によって加熱され、粘着剤４１の硬化が促進される（工程（Ｉ））。このようにして、図１（ａ）、（ｂ）に示すような連続帳票である情報記入領域隠蔽シート用帳票１が完成し、ロール状の情報記入領域隠蔽シート用帳票巻取８３として巻き取られる（工程（Ｊ））。
【００４８】
なお、粘着剤４１が紫外線硬化型接着剤である場合は、第２加熱乾燥部８１は、ＵＶ照射機に置き換えられてもよい。また、ロール状の情報記入領域隠蔽シート用帳票巻取８３に塗付、印刷された接着剤４２や粘着剤４１の完全硬化のために、所定温度で一定時間のエージングを行うことができる。これにより、後工程の封入封緘工程までの各工程や、その後の使用時において高い接着信頼性が得られる。
【００４９】
本実施形態の情報記入領域隠蔽シート用帳票１は、図１に示すとおり、帳票の幅方向の一端である、第２用紙３に粘着剤４１および第１分離片２１が積層された部分の厚さと、帳票の幅方向の他端である、第２用紙３に接着剤４２およびマージナル部５４が積層された部分の厚さとが、略同一となる。少なくとも、帳票の幅方向の他端である第２用紙３に何も積層しないものと比べると、当該一端と他端との厚さの差を小さくすることができる。これにより、上記の工程で製造されたロール状の情報記入領域隠蔽シート用帳票巻取８３は、帳票の幅方向の厚さが略同一であることから帳票内部に発生する内部応力や変形を均一化できる。そのため、情報記入領域隠蔽シート用帳票巻取８３を後工程で使用する際の、帳票が変形したり破けるといった品質不良のおそれを低減できる。
【００５０】
（ｃ）情報記入領域隠蔽シートの封入封緘までの製造方法
次に、上記の製造工程により製造された情報記入領域隠蔽シート用帳票巻取８３を用いて、情報記入領域隠蔽シートを形成し、封入封緘するまでの製造方法の一例を説明する。図９は、本実施形態の連続帳票である情報記入領域隠蔽シート用帳票１を用いて封入封緘を行うまでの製造工程を示す概略の模式図である。
【００５１】
まず、情報記入領域隠蔽シート用帳票巻取８３から情報記入領域隠蔽シート用帳票１を繰り出して、ミシン目加工部８４で情報記入領域隠蔽シート用帳票１の所定箇所にミシン目を形成する（工程（Ｌ））。例えば、図１（ａ）に示すような折予定線３５や、後述する情報記入領域隠蔽シート４の外周の輪郭線に対して行うことができる。ミシン目加工部８４は、回転ローラに刃が取り付けられたロータリカッターを模擬的に示しているが、これに限らず、上下に刃が移動するパンチング方式でもよく、レーザ照射により形成してもよい。
【００５２】
次に、ミシン目が形成された情報記入領域隠蔽シート用帳票１に、プリンター８５で必要な印字を行う（工程（Ｍ））。プリンターによる印字の有無、および印字する場合の印字内容は任意であるが、例えば、送付先のユーザーが自身で情報を記入すべき情報記入領域３３に、あらかじめ当該ユーザーの情報の一部をプリンター８５で印字しておくことができる。一例としては預金者名等が挙げられる。これにより、ユーザーが情報記入領域３３のすべてを手書きで記入する手間を軽減させることができる。なお、ミシン目の形成工程の前に、プリンターによる印字工程を進行してもよい。
【００５３】
その後、ミシン目形成と印字が行われた情報記入領域隠蔽シート用帳票１は、バースター部８６において、ミシン目に沿って各々の情報記入領域隠蔽シート４に分離される（工程（Ｎ））。バースター部８６は、情報記入領域隠蔽シート用帳票１を搬送の上流側と下流側のそれぞれにおいて、上下の搬送ローラで挟み込み、上流側および下流側のそれぞれの搬送ローラの回転数に差を付けることで情報記入領域隠蔽シート用帳票１に搬送方向に沿った張力を加え、個々の情報記入領域隠蔽シート４に分離させるものである。
【００５４】
なお、情報記入領域隠蔽シート４の平面図を図６に示す。情報記入領域隠蔽シート４は、図２（ｂ）に示す第１用紙２の第１分離片２１から、さらにマージナル部５５がミシン目である切断予定線２５に沿って除去され、流れ方向、すなわち図６の紙面の上下部分が分離された第２分離片２２が、左側に配置されている。また、図３における第２用紙３は、両端のマージナル部５５および５６がミシン目である切断予定線３６および３７に沿って除去され、図３の紙面の上下部分が分離された第２用紙分離片４０に加工され、当該第２用紙分離片４０の図６における左側に、粘着剤４１を介して第２分離片２２が貼り込まれている。
【００５５】
また、当該第２分離片２２の右側には第２用紙分離片４０に印刷された情報記入領域３３が視認される。なお、第２分離片２２は、ユーザーが情報記入領域３３に情報を記入した後で粘着剤４１を介してはがきを折り畳んで接着させる際に容易に剥がれる必要がある。このため、第２分離片２２の角部に、粘着剤４１の塗付されない領域を局所的に設け、第２分離片２２を角部から剥がし易くするようにしてもよい。
【００５６】
情報記入領域隠蔽シート４は、左右方向に容易に折り返せるよう、略中央に図６の紙面の上下方向に沿ってミシン目の折予定線３５が形成されている。封筒へ封入する際には、上記の工程（Ｎ）の後で、バースター部８６よりも下流側に配置された折加工部８８にて、情報記入領域隠蔽シート４を、折予定線３５に沿って第２分離片２２と第２用紙分離片４０の情報記入領域３３の部分とが向かい合うように折り込む加工が行われる（工程（Ｏ））。その後、必要に応じて情報記入領域隠蔽シート４のサイズ調整のための断裁工程等を踏まえて、折り込まれた情報記入領域隠蔽シート４を封筒に封入、封緘することによって封入済封筒８９を得る（工程（Ｐ））。
【００５７】
工程（Ｏ）で折り込まれた情報記入領域隠蔽シート４の平面図を図７（ａ）に示す。また、図７（ａ）における、Ｙ−Ｙ断面を紙面の下方側から見た断面図を図７（ｂ）に示す。図７（ａ）の破線部は折り込まれる前の第２用紙分離片４０を示す。折られた情報記入領域隠蔽シート４は、最表面に第２用紙分離片４０の第２面３２に印刷された宛先情報３８が視認される。また、内部に第２分離片２２を有し、粘着剤４１の塗付領域と当接する。第２分離片２２の粘着剤４１の塗付領域との当接面には前述したように離型層２７が印刷されているため、ユーザーが情報記入領域３３に情報を記入した後で粘着剤４１を介してはがきを折り畳んで接着させる際に、容易に第２分離片２２を粘着剤４１から分離させることができる。
【００５８】
本実施形態では、ロール状の情報記入領域隠蔽シート用帳票巻取８３を一定時間エージングすることにより、塗付、印刷された接着剤４２や粘着剤４１の完全硬化が図れ、工程の安定性や製品の接着信頼性の向上が図れる。また、エージングは、多数の情報記入領域隠蔽シート用帳票巻取８３をまとめてエージングルームに保管することにより効率的に行えることから、比較的製品ロットが大きい場合に有利である。
【００５９】
２．変形例
次に、本開示の連続帳票の製造工程について、情報記入領域隠蔽シートの封入封緘までの製造方法に関する変形例を説明する。図１０は、図８に示す連続帳票の製造工程において、工程（Ｉ）以降の工程が図８および図９に示すものとは異なる変形例の製造工程を示す図である。前述の製造方法では、図８の工程（Ｉ）の後、いったん情報記入領域隠蔽シート用帳票１を情報記入領域隠蔽シート用帳票巻取８３に巻き取ってから後工程に流していたが、本変形例では、情報記入領域隠蔽シート用帳票１を巻き取らずに、帳票への印字工程、分離工程、折り工程、および封入封緘工程を連続的に実施する。
【００６０】
工程（Ｉ）を経て粘着剤４１が硬化した連続帳票である情報記入領域隠蔽シート用帳票１には、続けて図１０に示す下流側のプリンター８５によって必要な印字が行われる（工程（Ｑ））。プリンターによる印字内容については前述の工程（Ｍ）と同様である。その後、回転ローラに刃が取り付けられたロータリカッターであるフォームカッター９０にて、情報記入領域隠蔽シート用帳票１を個々の情報記入領域隠蔽シート４に切断、分離していく（工程（Ｒ））。
【００６１】
さらに、情報記入領域隠蔽シート４は、下流側の折加工部８８にて、折予定線３５に沿って第２分離片２２と第２用紙分離片４０の情報記入領域３３の部分とが向かい合うように折り込まれる（工程（Ｓ））。その後、必要に応じて情報記入領域隠蔽シート４のサイズ調整のための断裁工程等を踏まえて、折り込まれた情報記入領域隠蔽シート４を封筒に封入、封緘することによって封入済封筒８９を得る（工程（Ｔ））。
【００６２】
本変形例の製造方法は、情報記入領域隠蔽シート用帳票巻取８３としてのエージングを前提とせず、封入封緘までインラインで行われるため、比較的短納期が要請される製品に適用されることが有利である。
【符号の説明】
【００６３】
１  情報記入領域隠蔽シート用帳票
２  第１用紙
３  第２用紙
４  情報記入領域隠蔽シート
２１  第１分離片
２２  第２分離片
２３  第１面
２４  第２面
２５、２６  切断予定線
２７  離型層
３１  第１面
３２  第２面
３３  情報記入領域
３４  隠蔽領域
３５  折予定線
３６、３７  切断予定線
３８  宛先情報
３９  説明欄
４０  第２用紙分離片
４１  粘着剤
４２  接着剤
５１、５２、５３、５４、５５、５６  マージナル部
５７、５８、５９、６０、６１、６２  移送孔
７１  第２用紙巻取
７２  第２用紙連続紙
７３  第１用紙巻取
７４  第１用紙連続紙
７５  接着剤塗付部
７６  第１丁合部
７７  第１加熱乾燥部
７８  粘着剤印刷部
７９  スリット部
８０  第２丁合部
８１  第２加熱乾燥部
８３  情報記入領域隠蔽シート用帳票巻取
８４  ミシン目加工部
８５  プリンター
８６  バースター部
８８  折加工部
８９  封入済封筒
９０  フォームカッター
【図１】
2020157742.tif 000003
【図２】
2020157742.tif 000004
【図３】
2020157742.tif 000005
【図４】
2020157742.tif 000006
【図５】
2020157742.tif 000007
【図６】
2020157742.tif 000008
【図７】
2020157742.tif 000009
【図８】
2020157742.tif 000010
【図９】
2020157742.tif 000011
【図１０】
2020157742.tif 000012